(57)【要約】【課題】コストを低減できる装置の製造方法を提供する。【解決手段】実施形態に係る装置の製造方法は、第１工程と、第２工程と、第３工程と、を備える。前記第１工程では、第１面と、前記第１面の反対側の第２面と、を有する光透過性の基板に対して、前記第１面に前記基板よりも光透過性が低い構造体を設ける。前記第２工程では、前記第２面にネガ型のフォトレジストを設ける。前記第３工程では、前記構造体をマスクとして用いて、前記基板に光を透過させて前記フォトレジストの一部を露光する。【選択図】図１
2020013059.tif 000002
【特許請求の範囲】
【請求項１】
第１面と、前記第１面の反対側の第２面と、を有する光透過性の基板に対して、前記第１面に前記基板よりも光透過性が低い構造体を設ける工程と、
前記第２面にネガ型のフォトレジストを設ける工程と、
前記構造体をマスクとして用いて、前記基板に光を透過させて前記フォトレジストの一部を露光する工程と、
を備えた装置の製造方法。
【請求項２】
前記構造体は、前記第１面に複数設けられ、
前記複数の構造体は、互いに離間し、
前記露光する工程において、前記複数の構造体をマスクとして用いて、前記フォトレジストの前記一部を露光する請求項１記載の装置の製造方法。
【請求項３】
前記露光する工程の後に前記フォトレジストの別の一部を除去し、前記第２面の一部を露出させる工程と、
前記フォトレジストの前記一部及び露出した前記第２面の前記一部を覆う金属層を形成する工程と、
前記フォトレジストの前記一部を除去することで前記金属層の一部を除去する工程と、
をさらに備えた請求項２記載の装置の製造方法。
【請求項４】
前記複数の構造体のそれぞれは、第１電極と、前記第１電極の周りに設けられた絶縁部と、を有し、
前記金属層の前記一部を除去することで、互いに離間した複数の第２電極が前記第２面に形成される請求項３記載の装置の製造方法。
【請求項５】
前記第１面と前記第２面とを結ぶ第１方向に対して垂直な第２方向における前記構造体の長さは、前記第２方向における前記第２電極の長さと同じである請求項４記載の装置の製造方法。
【請求項６】
前記金属層の前記一部が除去された部分及び前記構造体同士の間を通るダイシングラインに沿って、前記基板をダイシングする工程をさらに備えた請求項３〜５のいずれか１つに記載の装置の製造方法。
【請求項７】
前記構造体同士の距離は、１０μｍ以上１ｍｍ以下である請求項２〜６のいずれか１つに記載の装置の製造方法。
【請求項８】
前記基板は、炭化シリコン、窒化ガリウム、又はガリウムヒ素を含む請求項１〜７のいずれか１つに記載の装置の製造方法。
【請求項９】
前記フォトレジストを設ける前に、前記構造体が設けられた前記基板の前記第２面側を研磨する工程をさらに備えた請求項１〜８のいずれか１つに記載の装置の製造方法。
【発明の詳細な説明】
【技術分野】
【０００１】
本発明の実施形態は、装置の製造方法に関する。
【背景技術】
【０００２】
基板の両面に電極などの構造体が設けられた装置がある。この装置を製造するための方法において、コストの低減が求められている。
【先行技術文献】
【特許文献】
【０００３】
【特許文献１】特開平１０−１７７９７４号公報
【発明の概要】
【発明が解決しようとする課題】
【０００４】
本発明が解決しようとする課題は、コストを低減できる装置の製造方法を提供することである。
【課題を解決するための手段】
【０００５】
実施形態に係る装置の製造方法は、第１工程と、第２工程と、第３工程と、を備える。前記第１工程では、第１面と、前記第１面の反対側の第２面と、を有する光透過性の基板に対して、前記第１面に前記基板よりも光透過性が低い構造体を設ける。前記第２工程では、前記第２面にネガ型のフォトレジストを設ける。前記第３工程では、前記構造体をマスクとして用いて、前記基板に光を透過させて前記フォトレジストの一部を露光する。
【図面の簡単な説明】
【０００６】
【図１】実施形態に係る製造方法により製造された装置を例示する断面図である。
【図２】実施形態に係る装置の製造方法を表す工程断面図である。
【図３】実施形態に係る装置の製造方法を表す工程断面図である。
【図４】実施形態に係る装置の製造方法を表す工程断面図である。
【図５】実施形態に係る装置の製造方法を表す工程平面図である。
【図６】実施形態に係る製造方法により製造された別の装置を例示する断面図である。
【図７】実施形態に係る製造方法により製造された別の装置を例示する平面図である。
【図８】実施形態に係る製造方法により製造された別の装置を例示する図である。
【図９】実施形態に係る装置の別の製造方法を表す工程断面図である。
【図１０】実施形態に係る装置の別の製造方法を表す工程断面図である。
【図１１】実施形態に係る装置の別の製造方法を表す工程斜視図である。
【発明を実施するための形態】
【０００７】
以下に、本発明の各実施形態について図面を参照しつつ説明する。
図面は模式的又は概念的なものであり、各部分の厚みと幅との関係、部分間の大きさの比率などは、必ずしも現実のものと同一とは限らない。同じ部分を表す場合であっても、図面により互いの寸法や比率が異なって表される場合もある。
本願明細書と各図において、既に説明したものと同様の要素には同一の符号を付して詳細な説明は適宜省略する。
【０００８】
図１は、実施形態に係る製造方法により製造された装置を例示する断面図である。
図１に表した例において、装置１は、ショットキーバリアダイオードである。装置１は、半導体層１０、第１電極２１、絶縁部２２、及び第２電極３０を有する。
【０００９】
半導体層１０は、上面ＵＳと、上面ＵＳの反対側の下面ＬＳと、を有する。上面ＵＳには、第１電極２１及び絶縁部２２が設けられている。絶縁部２２は、第１電極２１の周りに設けられている。下面ＬＳには、第２電極３０が設けられている。
【００１０】
以下の説明及び図面において、ｎ＋、ｎ、ｎ−及びｐ＋、ｐの表記は、各導電形における不純物濃度の相対的な高低を表す。すなわち、「＋」が付されている表記は、「＋」及び「−」のいずれも付されていない表記よりも不純物濃度が相対的に高く、「−」が付されている表記は、いずれも付されていない表記よりも不純物濃度が相対的に低いことを示す。また、これらの表記は、それぞれの領域にｐ形不純物とｎ形不純物の両方が含まれている場合には、それらの不純物が補償しあった後の正味の不純物濃度の相対的な高低を表す。
以下で説明する実施形態において、各半導体領域のｐ形とｎ形が反転されても良い。
【００１１】
半導体層１０は、例えば、ｎ＋形半導体領域１１、ｎ−形半導体領域１２、ｎ形半導体領域１３、及びｐ形半導体領域１４を有する。ｎ＋形半導体領域１１は、第２電極３０の上に設けられ、第２電極３０と電気的に接続されている。ｎ−形半導体領域１２は、ｎ＋形半導体領域１１の上に設けられている。ｎ形半導体領域１３は、ｎ−形半導体領域１２の上に設けられている。ｐ形半導体領域１４は、ｎ形半導体領域１３の上に複数設けられ、第１電極２１と電気的に接続されている。
【００１２】
半導体層１０は、光透過性である。第１電極２１の光透過性は、半導体層１０の光透過性よりも低い。絶縁部２２の光透過性は、例えば半導体層１０の光透過性よりも低い。第２電極３０は、光透過性であっても良いし、光透過性でなくても良い。
【００１３】
半導体層１０は、半導体材料として、炭化シリコン、窒化ガリウム、又はガリウムヒ素を含む。半導体材料として炭化シリコンが用いられる場合、ｎ形不純物として窒素又はリンが用いられ、ｐ形不純物としてアルミニウム又はボロンが用いられる。
【００１４】
第１電極２１及び第２電極３０は、アルミニウム、銅などの金属を含む。絶縁部２２は、エポキシ樹脂などの有機絶縁材料を含む。絶縁部２２は、酸化シリコン、窒化シリコンなどの無機絶縁材料を含んでいても良い。又は、絶縁部２２は、無機絶縁材料を含む層と、有機絶縁材料を含む層と、を有していても良い。絶縁部２２の光透過性が、半導体層１０の光透過性よりも低い場合、絶縁部２２は、エポキシ樹脂、窒化シリコンなどを含む。
【００１５】
図２〜図４は、実施形態に係る装置の製造方法を表す工程断面図である。
図５は、実施形態に係る装置の製造方法を表す工程平面図である。
【００１６】
図２（ａ）に表したように、基板Ｓｕｂを用意する。基板Ｓｕｂは、上述した、半導体層１０と同様の半導体材料を含む。基板Ｓｕｂは、第１面Ｓ１と、第１面Ｓ１の反対側の第２面Ｓ２と、を有する。以降の実施形態の説明では、ＸＹＺ直交座標系を用いる。第１面Ｓ１と第２面Ｓ２を結ぶ方向をＺ方向（第１方向）とする。Ｚ方向に対して垂直であり、相互に直交する２方向をＸ方向（第２方向）及びＹ方向とする。
【００１７】
基板Ｓｕｂに適宜イオン注入し、不図示の半導体領域を形成する。図２（ｂ）に表したように、第１面Ｓ１に複数の構造体２０を形成する。それぞれの構造体２０は、図１に表した第１電極２１及び絶縁部２２を有する。図５（ａ）に表したように、複数の構造体２０は、Ｘ方向及びＹ方向において、互いに離間している。
【００１８】
基板Ｓｕｂが所定の厚さになるまで、基板Ｓｕｂの第２面Ｓ２側を研磨する。研磨は、例えば図２（ｃ）に表したように、グラインダＧを基板Ｓｕｂの第２面Ｓ２に接触させ、グラインダＧ及び基板Ｓｕｂを回転させて行う。図２（ｄ）に表したように、研磨された第２面Ｓ２に、フォトレジストＰＲを設ける。フォトレジストＰＲは、ネガ型である。図３（ａ）に表したように、基板Ｓｕｂの第１面Ｓ１側から基板Ｓｕｂに向けて、Ｚ方向に沿って光Ｌを照射する。
【００１９】
基板Ｓｕｂは、光透過性である。また、構造体２０の光透過性は、基板Ｓｕｂの光透過性よりも低い。光Ｌの波長は、基板Ｓｕｂにより吸収され難い値に設定される。例えば、基板Ｓｕｂが炭化シリコンを含む場合、波長が４０５ｎｍ（ｈ線）の光Ｌが用いられる。
【００２０】
構造体２０同士の間隙に入射した光Ｌは、基板Ｓｕｂを透過し、フォトレジストＰＲの一部を照射する。光Ｌが照射されたフォトレジストＰＲの一部は、硬化する。構造体２０に入射した光Ｌは、構造体２０を透過せず、基板Ｓｕｂに入射しない。又は、光Ｌが構造体２０を透過した場合でも、その光Ｌの強度は、フォトレジストＰＲの硬化に必要な強度よりも低い。すなわち、構造体２０が、フォトレジストＰＲを露光する際のマスクとして機能する。
【００２１】
フォトレジストＰＲに薬液Ａ１を塗布し、フォトレジストＰＲを現像する。これにより、図３（ｂ）に表したように、現像されていないフォトレジストＰＲの他の部分が除去されてフォトレジストＰＲの前記一部が残るとともに、第２面Ｓ２の一部が露出する。図３（ｃ）に表したように、フォトレジストＰＲの前記一部及び露出した第２面Ｓ２の前記一部を覆う金属層３０ｍを形成する。
【００２２】
図３（ｄ）に表したように、第２面Ｓ２に、フォトレジストＰＲを除去するための薬液Ａ２を塗布する。フォトレジストＰＲが除去される際、フォトレジストＰＲの上に形成された金属層３０ｍの一部が除去される。図４（ａ）に表したように、金属層３０ｍの別の一部が第２面Ｓ２に残る。この結果、Ｘ方向及びＹ方向において互いに離間した複数の第２電極３０が形成される。また、フォトレジストＰＲが除去されることで、第２面Ｓ２の一部が露出する。
【００２３】
図４（ｂ）に表したように、基板Ｓｕｂを、ダイシングラインＤＬに沿ってダイシングする。ダイシングラインＤＬは、図４（ｂ）及び図５（ｂ）に表したように、金属層３０ｍが除去された部分及び構造体２０同士の間を通る。以上の工程により、図１に表した装置１が製造される。
【００２４】
実施形態の効果を説明する。
参考例として、以下のデバイスの製造方法が挙げられる。まず、基板Ｓｕｂの第１面Ｓ１に複数の構造体２０を形成する。次に、第２面Ｓ２の全面に金属層３０ｍを直接形成する。金属層３０ｍの上にフォトレジストを形成する。続いて、フォトレジストを露光してパターニングする。パターニングされたフォトレジストをマスクとして用いて、金属層３０ｍをパターニングする。この製造方法によれば、第２面Ｓ２に、互いに離間した複数の第２電極３０を形成できる。第２電極３０同士の間において基板Ｓｕｂをダイシングすることで、金属層３０ｍをダイシングする必要が無い。
【００２５】
金属層３０ｍの材料は、一般的に、基板Ｓｕｂの材料よりも柔らかい。基板Ｓｕｂをブレードでダイシングする場合、金属層３０ｍをダイシングすると、ブレードに金属層３０ｍの材料が目詰まりする。ブレードが目詰まりすると、基板Ｓｕｂ及び金属層３０ｍを適切にダイシング出来ず、品質不良が発生する可能性がある。
又は、基板Ｓｕｂをレーザダイシングする場合、金属層３０ｍはレーザを反射する。基板Ｓｕｂをステルスダイシング（登録商標）する場合、金属層３０ｍは基板Ｓｕｂよりもクラックが発生し難い。従って、これらの方法によりダイシングする場合、金属層３０ｍは別の方法によりダイシングする必要があり、工程数が増加する。
参考例に係る製造方法によれば、金属層のダイシングが不要となることで、上記の課題を解決できる。
【００２６】
一方、参考例に係る製造方法によれば、第１面Ｓ１に設けられた構造体２０の配置に合わせて、第２面Ｓ２側のフォトレジストをパターニングする必要がある。このような両面のアライメント機能を備えた露光装置は、高額であり、製造される装置のコストを増加させる。
【００２７】
実施形態に係る製造方法によれば、第２面Ｓ２のフォトレジストＰＲに、第１面Ｓ１側から基板Ｓｕｂを通して光Ｌを照射する。構造体２０の光透過性は、基板Ｓｕｂの光透過性よりも低い。このため、フォトレジストＰＲが構造体２０の配置に応じて露光される。従って、実施形態によれば、両面のアライメント機能を備えた露光装置が不要となり、フォトレジストＰＲの露光に必要なコストを低減できる。この結果、製造される装置のコストを低減できる。
【００２８】
また、実施形態に係る製造方法によれば、フォトレジストＰＲを露光する前に、図２（ｃ）に表したように基板Ｓｕｂの第２面Ｓ２側が研磨される。基板Ｓｕｂの厚さが薄くなることで、構造体２０同士の間から基板Ｓｕｂに入射した光Ｌが、基板Ｓｕｂを透過し易くなる。これにより、フォトレジストＰＲのパターニングの精度を向上させることができる。
【００２９】
基板Ｓｕｂを研磨した後、フォトレジストＰＲを設ける前に、基板Ｓｕｂの第２面Ｓ２を洗浄しても良い。洗浄により、基板Ｓｕｂの第２面Ｓ２に付着した研磨屑などのごみが除去される。洗浄は、例えば、水、フッ化水素酸、又は界面活性剤などを用いて行われる。ごみを除去することで、第２面Ｓ２とフォトレジストＰＲとの密着性が向上する。また、フォトレジストＰＲを露光する際、基板Ｓｕｂを透過した光Ｌがごみにより反射されることを抑制し、フォトレジストＰＲのパターニングの精度を向上させることができる。
【００３０】
また、フォトレジストＰＲを露光させる際、十分な量の光Ｌを基板Ｓｕｂに入射させるために、構造体２０同士の間の距離は、１０μｍ以上であることが望ましい。一方、距離が長すぎると、１つの基板Ｓｕｂから得られる装置の数が少なくなる。これらの観点から、当該距離は、１０μｍ以上１ｍｍ以下であることが望ましい。
【００３１】
例えば、実施形態に係る製造方法によれば、図５（ａ）及び図５（ｂ）に表したように、第２電極３０のＸ方向における長さＬ１及びＹ方向における長さＬ２は、それぞれ、構造体２０のＸ方向における長さＬ３及びＹ方向における長さＬ４と同じになる。長さＬ１〜長さＬ４には、誤差が在っても良い。例えば、それぞれの長さには、１０％以下の誤差が生じうる。従って、長さＬ１と長さＬ３との差が、長さＬ１又は長さＬ３の１０％以下である場合、これらの長さは実質的に同じとみなせる。長さＬ２と長さＬ４との差が、長さＬ２又は長さＬ４の１０％以下である場合、これらの長さは実質的に同じとみなせる。
【００３２】
なお、構造体２０の具体的な構成は、適宜変更可能である。例えば、絶縁部２２が光透過性であり、第１電極２１が光Ｌを遮るための構造体２０として機能しても良い。この場合、第２電極３０のＸ方向における長さ及びＹ方向における長さは、それぞれ、第１電極２１のＸ方向における長さ及びＹ方向における長さと、実質的に同じとなる。
【００３３】
実施形態に係る製造方法により製造される装置は、図１の例に限定されない。例えば、装置１において、半導体層１０における半導体領域の構造が、図１と異なっていても良い。又は、装置１が、ＰＮダイオード又はＰＩＮダイオードであっても良い。あるいは、装置１が、以下で説明するＭＯＳＦＥＴ(Metal Oxide Semiconductor Field Effect Transistor)又はＩＧＢＴ(Insulated Gate Bipolar Transistor)であっても良い。第１電極２１、絶縁部２２、及び第２電極３０の数や形状、材料等は、装置に応じて適宜変更可能である。また、半導体層１０において各半導体領域を形成するタイミングは、任意であり、上述した例に限定されない。
【００３４】
図６は、実施形態に係る製造方法により製造された別の装置を例示する断面図である。
図７は、実施形態に係る製造方法により製造された別の装置を例示する平面図である。
【００３５】
図６（ａ）に表した装置２は、ＭＯＳＦＥＴである。装置２において、半導体層１０は、ｎ＋形半導体領域１１、ｎ−形半導体領域１２、ｐ形半導体領域１４、及びｎ＋形半導体領域１５を有する。ｐ形半導体領域１４は、ｎ−形半導体領域１２の上に設けられている。ｎ＋形半導体領域１５は、ｐ形半導体領域１４の上に設けられている。また、半導体層１０には、ゲート電極１６が設けられている。ゲート電極１６は、ゲート絶縁層１６ａを介して、ｎ−形半導体領域１２、ｐ形半導体領域１４、及びｎ＋形半導体領域１５と対向している。
【００３６】
上面ＵＳには、構造体２０が設けられている。装置２において、構造体２０は、複数の第１電極２１及び絶縁部２２を有する。複数の第１電極２１は、電極２１ａ及び電極２１ｂを含む。電極２１ａは、ｐ形半導体領域１４及びｎ＋形半導体領域１５の上に設けられ、これらの領域と電気的に接続されている。電極２１ｂは、ゲート電極１６と電気的に接続されている。図６（ａ）及び図７に表したように、複数の第１電極２１は、互いに離間している。絶縁部２２は、電極２１ａ及び２１ｂの周り、電極２１ａと２１ｂとの間に設けられている。
【００３７】
図６（ｂ）に表した装置３は、ＩＧＢＴである。装置３において、半導体層１０は、ｎ＋形半導体領域１１に代えて、ｐ＋形半導体領域１８及びｎ形半導体領域１９を有する。ｐ＋形半導体領域１８は、第２電極３０と電気的に接続されている。ｎ形半導体領域１９は、ｐ＋形半導体領域１８とｎ−形半導体領域１２との間に設けられている。装置３においても、構造体２０は、複数の第１電極２１及び絶縁部２２を有する。
【００３８】
これらの装置２及び３の製造方法に対しても、実施形態に係る製造方法を適用することが可能である。すなわち、図２〜図４に表したように、基板Ｓｕｂの第１面Ｓ１に設けられた構造体２０をマスクとして用いて、第２面Ｓ２に設けられたフォトレジストＰＲを露光する。これにより、第２面Ｓ２に、互いに離間した複数の第２電極３０を形成できる。この結果、装置２及び３の製造に要するコストを低減できる。
【００３９】
装置２及び３を製造する場合、第１電極２１及び絶縁部２２のそれぞれの光透過性が、半導体層１０（基板Ｓｕｂ）の光透過性よりも低いことが望ましい。絶縁部２２が光透過性の場合、図３（ａ）に表した工程において、第１電極２１同士の隙間から光Ｌが基板Ｓｕｂへ入射する。この結果、１つの装置に対して、互いに離間した複数の第２電極３０が形成されうる。絶縁部２２の光透過性が半導体層１０（基板Ｓｕｂ）の光透過性よりも低いことで、第１電極２１同士の隙間から光Ｌが基板Ｓｕｂへ入射し難くなる。これにより、１つの装置に対して、１つの第２電極３０を形成できる。
【００４０】
なお、図６（ａ）及び図６（ｂ）に表した例において、装置２及び３は、ゲート電極１６が半導体層１０中に設けられたトレンチ型構造を有していた。この例に限定されず、装置２及び３は、ゲート電極１６が半導体層１０の上に設けられたプレーナ型構造を有していても良い。
【００４１】
上述した例では、実施形態に係る製造方法により、半導体装置が製造される例を説明した。実施形態に係る製造方法は、半導体装置の製造以外にも適用可能である。以降では、実施形態に係る製造方法を、別の装置の製造方法に適用する場合を説明する。
【００４２】
図８は、実施形態に係る製造方法により製造された別の装置を例示する図である。
図８（ａ）は斜視図であり、図８（ｂ）は図８（ａ）のＡ−Ａ’線における断面図である。
【００４３】
装置４は、ジャイロセンサである。装置４は、図８（ａ）及び図８（ｂ）に表したように、第１電極２１、第２電極３０、基材４０、及び第３電極４５を有する。基材４０は、複数の延在部４１及び連結部４２を有する。複数の延在部４１は、互いに離間し、且つ互いに平行に延びている。各延在部４１の一端は、連結部４２により連結されている。
【００４４】
図８（ｂ）に表したように、第１電極２１は、延在部４１の上面ＵＳに設けられている。第２電極３０は、延在部４１の下面ＬＳに設けられている。第３電極４５は、延在部４１の側面ＳＳに設けられている。第１電極２１、第２電極３０，及び第３電極４５は、互いに離間している。
【００４５】
連結部４２の上面ＵＳには、複数の配線Ｉ及び複数の電極パッドＰが設けられている。連結部４２の下面ＬＳにも、不図示の複数の配線及び複数の電極パッドが設けられている。第１電極２１、第２電極３０，及び第３電極４５は、それぞれ、複数の配線を介して、複数の電極パッドと接続されている。
【００４６】
基材４０は、光透過性である。第１電極２１、第２電極３０，及び第３電極４５のそれぞれの光透過性は、基材４０の光透過性よりも低い。基材４０は、酸化シリコン（石英）を含む。第１電極２１、第２電極３０，及び第３電極４５は、アルミニウム、銅などの金属を含む。
【００４７】
図９及び図１０は、実施形態に係る装置の別の製造方法を表す工程断面図である。
図１１は、実施形態に係る装置の別の製造方法を表す工程斜視図である。
【００４８】
まず、図９（ａ）に表したように、基板Ｓｕｂを用意する。基板Ｓｕｂは、第１面Ｓ１及び第２面Ｓ２を有する。基板Ｓｕｂは、酸化シリコンを含む。基板Ｓｕｂを、例えばブラスト処理により、図９（ｂ）に表した形状に加工する。これにより、図１１（ａ）に表したように、１つの基板Ｓｕｂから、複数の基材４０が作製される。
【００４９】
基材４０の上面ＵＳ及び側面ＳＳに金属層２１ｍを形成し、図９（ｃ）に表したように、金属層２１ｍをパターニングする。これにより、第１電極２１、第３電極４５の一部、複数の配線の一部、及び複数の電極パッドの一部が形成される。
【００５０】
図９（ｄ）に表したように、基板Ｓｕｂの第２面Ｓ２にフォトレジストＰＲを設ける。図１０（ａ）に表したように、基板Ｓｕｂの第１面Ｓ１側から基板Ｓｕｂに向けて、光Ｌを照射する。基板Ｓｕｂが、酸化シリコンを含むサファイア基板の場合、波長が３６５ｎｍ（ｉ線）、４０５ｎｍ（ｈ線）、又は４３６ｎｍ（ｇ線）の光Ｌが用いられる。光Ｌは、基板Ｓｕｂの金属層２１ｍが設けられていない部分を通って、フォトレジストＰＲの一部を照射する。
【００５１】
フォトレジストＰＲに薬液を塗布し、フォトレジストＰＲを現像する。これにより、図１０（ｂ）に表したように、フォトレジストＰＲの前記一部が残る。図１０（ｃ）に表したように、フォトレジストＰＲの前記一部、第２面Ｓ２、及び延在部４１の側面を覆う金属層３０ｍを形成する。
【００５２】
第２面Ｓ２に、フォトレジストＰＲを除去するための薬液を塗布する。フォトレジストＰＲが除去される際、フォトレジストＰＲの上に形成された金属層３０ｍの前記一部が除去される。残った金属層３０ｍを加工し、基材４０の第２面Ｓ２に複数の配線及び複数の電極パッドを形成する。図１１（ｂ）に表したように、基板Ｓｕｂを線ＣＬに沿って切断し、それぞれの基材４０を基板Ｓｕｂの外枠Ｆから切り離す。以上の工程により、図８（ａ）及び図８（ｂ）に表した装置４が製造される。
【００５３】
図９及び図１０に表したように、実施形態に係る製造方法を用いることで、第１面Ｓ１側に設けられた構造体（金属層２１ｍ）を用いて、第２面Ｓ２側にパターニングされた金属層３０ｍを形成できる。このため、半導体装置の製造工程と同様に、両面のアライメント機能を備えた露光装置が不要となる。フォトレジストＰＲの露光に必要なコストを低減でき、製造される装置のコストを低減できる。
【００５４】
実施形態に係る製造方法によれば、例えば、以下の構造を有する装置４が製造される。すなわち、延在部４１が延びる延在方向に対して垂直な直交方向における第１電極２１の長さは、前記直交方向における第２電極３０の長さと実質的に同じである。第１電極２１と第３電極４５との前記直交方向における間隙は、第２電極３０と第３電極４５との前記直交方向における間隙と実質的に同じである。
【００５５】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５６】
１〜４ 装置、  １０ 半導体層、  １１ ｎ＋形半導体領域、  １２ ｎ−形半導体領域、  １３ ｎ形半導体領域、  １４ ｐ形半導体領域、  １５ ｎ＋形半導体領域、  １６ ゲート電極、  １８ ｐ＋形半導体領域、  １９ ｎ形半導体領域、  ２０ 構造体、  ２１、２１ａ、２１ｂ 第１電極、  ２１ｍ 金属層、  ２２ 絶縁部、  ３０ 第２電極、  ３０ｍ 金属層、  ４０ 基材、  ４１ 延在部、  ４２ 連結部、  ４５ 第３電極、  Ａ１、Ａ２ 薬液、  ＤＬ ダイシングライン、  Ｆ 外枠、  Ｇ グラインダ、  Ｌ 光、  Ｌ１〜Ｌ４ 長さ、  ＣＬ 線、  ＬＳ 下面、  Ｐ 電極パッド、  ＰＲ フォトレジスト、  Ｓ１ 第１面、  Ｓ２ 第２面、  ＳＳ 側面、  Ｓｕｂ 基板、  ＵＳ 上面
【図１】
2020013059.tif 000003
【図２】
2020013059.tif 000004
【図３】
2020013059.tif 000005
【図４】
2020013059.tif 000006
【図５】
2020013059.tif 000007
【図６】
2020013059.tif 000008
【図７】
2020013059.tif 000009
【図８】
2020013059.tif 000010
【図９】
2020013059.tif 000011
【図１０】
2020013059.tif 000012
【図１１】
2020013059.tif 000013